(57)【特許請求の範囲】
【請求項１】
第１帳票片と、
前記第１帳票片より小さい外形に形成され、表面領域を２つに区分する区分ラインを有する複数の第２帳票片からなり、前記第１帳票片上に重ねられた第２帳票片群と、
前記第２帳票片群の第１の辺が前記第１帳票片の第１の辺と重なり、かつ前記第２帳票片群の前記第１の辺以外の３辺が前記第１帳票片の前記第１の辺以外の３辺より内側に配置された状態において、前記第１帳票片及び前記第２帳票片群の重なり合う帳票片同士の前記区分ラインと厚み方向で重なる領域を接着する第１接着部と、
前記第１帳票片が外面側となるように前記区分ラインから前記第１帳票片及び前記第２帳票片群が折り返されることによって重なる前記第１帳票片の前記第１の辺に垂直な２辺の外縁部、さらに前記第１帳票片の前記第１の辺に平行な第２の辺の外縁部が前記第１帳票片の前記第１の辺の外縁部と重なるように折り返されることによって重なる前記第１帳票片の前記第１の辺と前記第２の辺との外縁部を接着する第２接着部とを備え、
前記第１接着部は、前記第１帳票片及び前記第２帳票片群の重なり合う帳票片同士の前記第１の辺を含む外縁部を接着すること、
前記第２帳票片群の前記第１の辺の近傍、及びそれと厚み方向で重なる前記第１帳票片には、前記第１接着部及び前記第２接着部により接着されている部分を分離するための第１ミシン目が形成されており、前記第１帳票片の前記第１の辺に垂直な２辺の外縁部には、接着された前記第１帳票片の前記第１の辺に垂直な辺の外縁部を分離するための第２ミシン目が形成されていること、
を特徴とするメールフォーム。
【請求項２】
請求項１に記載のメールフォームにおいて、
前記第２帳票片に設けられ、同一面側において前記区分ラインで区分された２つの領域に異なる頁の情報を表示するとともに、前記区分ラインで区分された領域における両面側で連続する頁の情報を表示した情報表示部を備えること
を特徴とするメールフォーム。
【発明の詳細な説明】
【０００１】
【発明の属する技術分野】
この発明は、親展情報等を記録した帳票を封止して発送可能な形態にするとともに、開封により冊子状となるメールフォームに関するものである。
【０００２】
【従来の技術】
図９は、従来のメールフォームの一例を示す平面図、及び側面の断面図である。図９は、封止前のメールフォームを示している。メールフォーム１０は、外部紙となる帳票片１１と、内部紙となる複数の帳票片１２を有している。帳票片１１の図９（ａ）中裏面側には、メールフォーム１０の受取人の宛名等が印字される。また、各帳票片１２には、受取人に伝達すべき情報が印刷されている。
【０００３】
帳票片１２は、帳票片１１より外形が小さく形成されており、その辺１２ａ（図中左側）が帳票片１１の辺１１ａと厚み方向で重なるように帳票片１１上に配置されている。また、帳票片１２の他の３辺は、帳票片１１の３辺より内側に位置している。帳票片１１と１２との厚み方向で重なっている図中左辺の外縁部において、各帳票片間には、接着剤部１３が設けられ、相互間で接着されている。
【０００４】
帳票片１１及び１２は、帳票片１２の略中央位置である折り返しライン１４から折り返される。この折り返しは、帳票片１２の図９（ａ）中表面側同士が重なる方向に折り返される。この折り返し時において、重なり合う帳票片１１の図中上下側の外縁部が接着される。さらに、折り返しライン１５から帳票片１１が折り返される。この折り返しは、帳票片１１の辺１１ｂ側の外縁部が辺１１ａ側の外縁部上に重なる方向に折り返される。そして、この折り返し時において、重なり合う帳票片１１の外縁部同士が接着される。以上により、メールフォーム１０が封止される。
【０００５】
図１０は、封止されたときのメールフォーム１０を示す図である。帳票片１１の図中上下側の外縁部であって接着されている部分の内側かつ帳票片１２の上下の辺の外側には、それぞれミシン目１１ｃ及び１１ｄが形成される。さらに、帳票片１１の辺１１ｂの近傍であって接着された領域の内側には、２つの平行なミシン目１１ｅ及び１１ｆが形成されている。
【０００６】
メールフォーム１０は、この状態で受取人に発送される。受取人は、ミシン目１１ｃ及び１１ｄを裁断することによりミシン目１１ｃ及び１１ｄの外側部分をメールフォーム１０から分離することができる。さらに、ミシン目１１ｅ及び１１ｆを裁断することによりミシン目１１ｅと１１ｆとの間の帯状の部分をメールフォーム１０から分離することができる。これにより、帳票片１１の接着された部分が分離され、メールフォーム１０が開封される。図１１は、このときの開封されたメールフォーム１０を示す斜視図である。
【０００７】
【発明が解決しようとする課題】
しかし、前述の従来のメールフォーム１０では、内部紙である帳票片１２が折り曲げられて封止されるので、開封後には、図１１に示すように、帳票片１２に折り返しライン１４が残ってしまった。したがって、開封後の体裁が悪く、かつ読みにくいという問題があった。また、図１１において、帳票片１２の左側外縁部が接着されているので、帳票片１２の各頁を開きにくいという問題があった。本発明の課題は、開封により冊子が形成されるメールフォームにおいて、読みやすく、かつ各頁を開きやすい冊子を形成することにある。
【０００８】
【課題を解決するための手段】
上述の課題を解決するために、請求項１の発明は、第１帳票片（２１）と、前記第１帳票片より小さい外形に形成され、表面領域を２つに区分する区分ライン（２４）を有する複数の第２帳票片（２２）からなり、前記第１帳票片上に重ねられた第２帳票片群と、前記第２帳票片群の第１の辺が前記第１帳票片の第１の辺と重なり、かつ前記第２帳票片群の前記第１の辺以外の３辺が前記第１帳票片の前記第１の辺以外の３辺より内側に配置された状態において、前記第１帳票片及び前記第２帳票片群の重なり合う帳票片同士の前記区分ラインと厚み方向で重なる領域を接着する第１接着部（２３ａ）と、前記第１帳票片が外面側となるように前記区分ラインから前記第１帳票片及び前記第２帳票片群が折り返されることによって重なる前記第１帳票片の前記第１の辺に垂直な２辺の外縁部、さらに前記第１帳票片の前記第１の辺に平行な第２の辺の外縁部が前記第１帳票片の前記第１の辺の外縁部と重なるように折り返されることによって重なる前記第１帳票片の前記第１の辺と前記第２の辺との外縁部を接着する第２接着部とを備え、前記第１接着部（２３ｂ）は、前記第１帳票片及び前記第２帳票片群の重なり合う帳票片同士の前記第１の辺を含む外縁部を接着すること、前記第２帳票片群の前記第１の辺の近傍、及びそれと厚み方向で重なる前記第１帳票片には、前記第１接着部及び前記第２接着部により接着されている部分を分離するための第１ミシン目（２１ｃ）が形成されており、前記第１帳票片の前記第１の辺に垂直な２辺の外縁部には、接着された前記第１帳票片の前記第１の辺に垂直な辺の外縁部を分離するための第２ミシン目（２１ａ，２１ｂ）が形成されていることを特徴とする。
【００１１】
請求項２の発明は、請求項１に記載のメールフォームにおいて、前記第２帳票片に設けられ、同一面側において前記区分ラインで区分された２つの領域に異なる頁の情報を表示するとともに、前記区分ラインで区分された領域における両面側で連続する頁の情報を表示した情報表示部を備えることを特徴とする。
【００１２】
【発明の実施の形態】
以下、図面等を参照して、本発明の一実施形態について説明する。図１は、本発明によるメールフォームの一実施形態を示す斜視図及び側面の断面図であり、封止前のメールフォームを示している。メールフォーム２０は、外部紙となる帳票片２１と、内部紙となる複数の帳票片２２とを備える。帳票片２２の外形は、帳票片２１の外形より小さく形成されている。帳票片２２は、帳票片２１と２２との図中右辺が厚み方向で重なるように帳票片２１上に配置されている。これにより、帳票片２１の図中右辺以外の３辺は、帳票片２２の３辺より外側に位置する。また、帳票片２１及び各帳票片２２のそれぞれ重なり合う面の所定領域には、接着剤部２３が設けられ、その領域において互いに接着されている。接着剤部２３は、図中右辺側の外縁部（２３ｂ）と、帳票片２２の略中央部の位置（２３ａ）に線状に設けられている。
【００１３】
このメールフォーム２０は、帳票片２２の略中央位置にある折り返しライン２４（すなわち接着剤部２３が設けられた位置）から折り返される。図２に示すように、図１中帳票片２２の表面側同士が重なる方向に折り返される。この折り返し時において、帳票片２１の図中上下側の外縁部であって帳票片２２の上下の辺の外側の領域は、接着剤（図示せず）により接着される。
さらに、帳票片２１の図１中左辺側外縁部は、図３に示すように、帳票片２１の図１中右辺側外縁部と重なる方向に折り返される。そして、帳票片２１の両側の外縁部は、接着剤（図示せず）により接着される。以上により、メールフォーム２０が封止され、郵送等の送付可能な形態となる。
【００１４】
次に、図４に示すように、封止されたメールフォーム２０の３辺の外縁部に、ミシン目２１ａ〜２１ｃが形成される。ミシン目２１ａ及び２１ｂは、帳票片２１の上下側の外縁部であって接着された領域の内側、かつ帳票片２２の上下側の各辺の外側の位置に形成される。また、ミシン目２１ｃは、帳票片２１の図中表面側から帳票片２２の接着剤部２３により接着された領域の内側（図１中、ライン２５の位置）を貫通して帳票片２１の図中裏側に至るように形成される。
【００１５】
メールフォーム２０の受取人は、図５に示すように、ミシン目２１ａ，２１ｂ，及び２１ｃを裁断することにより、メールフォーム２０を開封することができる。すなわち、ミシン目２１ａ及び２１ｂを裁断することにより、帳票片２１の図中上下側外縁部の接着された領域が分離される。また、ミシン目２１ｃを裁断することにより、帳票片２１同士の接着された部分並びに帳票片２１及び２２の接着剤部２３ｂにより接着された領域が分離される。これにより、メールフォーム２０は、図５（ｂ）に示すように、帳票片２１及び２２の略中央部が接着された冊子状となり、図６に示すように各頁を開くことができる。ここで、メールフォーム２０の中央部が綴じられた状態となっているので、各頁を開きやすくなる。また、従来例のように、各頁に折り目が入らない。
【００１６】
次に、メールフォーム２０の製造工程を説明する。
図７は、メールフォーム２０の製造工程を示す図である。ここでのメールフォーム２０は、１６頁からなるものとする。先ず帳票片２１及び２２の各面には、全ての受取人に対して共通する共通情報が印刷される。帳票片２１の一方の面（図中、表面）側の右側及び左側にはそれぞれ１頁目と１６頁目の情報が印刷される。また、帳票片２１の他方の面（図中、裏面）側には、２頁目と１５頁目の情報が印刷される。すなわち、帳票片２１の面上には、右側と左側とで異なる頁の情報が印刷され、かつ、右側又は左側においての両面で連続する頁の情報が印刷される。帳票片２２も同様に、帳票片２１と重なる帳票片２２の一方の面には、３頁目と１４頁目、他方の面には４頁目と１３頁目が印刷される。他の帳票片２２も同様に印刷される。
【００１７】
次に、帳票片２１及び２２のうち、必要な部分に受取人ごとの個別情報が出力（印刷又は印字）される。以後は、上述のように帳票片２１上に帳票片２２が順次重ねて丁合され、メールフォーム２０が製造される。
このようにすれば、受取人ごとに異なるオリジナリティの高いメールフォーム２０を簡便に製造することができる。さらに、帳票片２２の枚数を受取人ごとに可変にすれば、受取人ごとに頁数を変更することができる。
【００１８】
図８は、メールフォーム２０の各頁の割り振りの一実施形態を示す図である。このメールフォーム２０は、生命保険会社の総合案内であり、ディスクロージャー、契約内容通知、ＰＲ等を合体させたものを例にあげている。図中、上段及び下段の帳票片は、全ての受取人に対して共通する帳票片であり、図中、中段の帳票片は、受取人ごとに異なる帳票片である。
【００１９】
以上、本発明の一実施形態について説明したが、本発明は、上述した実施形態に限定されることなく、均等の範囲内で以下のような種々の変形が可能である。例えば実施形態では、製造上、接着剤部２３ｂを設けたが、接着剤部２３ｂを設けずにメールフォーム２０を封止することも可能である。また、帳票片２２には、返信用封筒（返信用葉書）や、申込用紙（複写式も可能）等を含めることができる。
【００２０】
【発明の効果】
本発明によれば、開封により、読みやすくかつ各頁を開きやすい冊子を形成するメー  ルフォームを提供することができる。また、必要に応じて受取人ごとに個別の情報を出  力することができる。さらにまた、受取人ごとに頁数を変更することを簡便に行うこと  ができる。さらに、発明にあっては、第１ミシン目及び第２ミシン目を裁断することに  より、メールフォームの開封しやすさを高めることができる。そして、読みやすく、か  つ各頁を開きやすい冊子を提供することができる。
【図面の簡単な説明】
【図１】本発明によるメールフォームの一実施形態を示す斜視図及び側面の断面図である。
【図２】図１のメールフォーム２０が折り返されるときの様子を示す斜視図である。
【図３】メールフォーム２０がさらに折り返されるときの様子を示す斜視図である。
【図４】メールフォーム２０にミシン目２１ａ〜２１ｃが形成されたときの様子を示す斜視図である。
【図５】ミシン目２１ａ〜２１ｃが裁断されたときのメールフォーム２０を示す図である。
【図６】メールフォーム２０が開封されたときの様子を示す図である。
【図７】メールフォーム２０の製造工程を示す図である。
【図８】メールフォーム２０の各頁の割り振りの一実施形態を示す図である。
【図９】従来のメールフォームの一例を示す平面図、及び側面の断面図である。
【図１０】封止されたときのメールフォーム１０を示す図である。
【図１１】開封されたメールフォーム１０を示す斜視図である。
【符号の説明】
２０  メールフォーム
２１，２２  帳票片
２３（２３ａ，２３ｂ）  接着剤部
２４  折り返しライン
【図１】
0003729909.tif 000002
【図２】
0003729909.tif 000003
【図３】
0003729909.tif 000004
【図４】
0003729909.tif 000005
【図５】
0003729909.tif 000006
【図６】
0003729909.tif 000007
【図７】
0003729909.tif 000008
【図８】
0003729909.tif 000009
【図９】
0003729909.tif 000010
【図１０】
0003729909.tif 000011
【図１１】
0003729909.tif 000012